(57)【特許請求の範囲】
【請求項１】
空気調和装置（１２）に接続され、該空気調和装置（１２）から送信された情報を表示部（１１ａ）に表示する監視装置（１１）を備えた空気調和装置の監視システムであって、
上記空気調和装置（１２）は複数台設けられ、
上記監視装置（１１）は上記各空気調和装置（１２）に対しデータ伝送可能な伝送手段（１４）を介して接続されていて、上記各空気調和装置（１２）から送信された情報を表示部（１１ａ）に表示するように構成され、
上記監視装置（１１）に接続され、該監視装置（１１）の表示部（１１ａ）の表示形態を設定する表示形態設定データを上記監視装置（１１）に提供する表示形態設定データ提供手段（２１，４１）を備え、
上記表示形態設定データ提供手段（２１，４１）は、監視装置（１１）に提供する表示形態設定データを、上記システム構成の変更に対応したデータに変更するデータ変更手段を備え、
上記監視装置（１１）は、上記表示形態設定データ提供手段（２１，４１）から提供された表示形態設定データに応じて上記表示部（１１ａ）の表示形態を変更すると共に、その変更した表示形態で上記空気調和装置（１２）から送信された情報を上記表示部（１１ａ）に表示するように構成されている
ことを特徴とする空気調和装置の監視システム。
【請求項２】
請求項１において、
データ変更手段は、監視装置（１１）に提供する表示形態設定データを、上記監視装置（１１）に接続された空気調和装置（１２）の台数の変更に対応したデータに変更する
ことを特徴とする空気調和装置の監視システム。
【請求項３】
請求項１において、
データ変更手段は、監視装置（１１）に提供する表示形態設定データを、上記監視装置（１１）に接続された空気調和装置（１２）の設置レイアウトの変更に対応したデータに変更する
ことを特徴とする空気調和装置の監視システム。
【請求項４】
請求項１〜請求項３のいずれかにおいて、
監視装置（１１）はＬＡＮ（２）に接続されており、
表示形態設定データ提供手段（２１）は上記ＬＡＮ（２）上に設けられている
ことを特徴とする空気調和装置の監視システム。
【請求項５】
請求項１〜請求項３において、
監視装置（１１）と表示形態設定データ提供手段（４１）とはＷＡＮ（３）を介して互いに接続されている
ことを特徴とする空気調和装置の監視システム。
【発明の詳細な説明】
【０００１】
【発明の属する技術分野】
本発明は、空気調和装置に関する情報を表示する空気調和装置の監視システム及び監視装置に関する。
【０００２】
【従来の技術】
従来より、空気調和装置の監視システムとして、例えば複数台の空気調和装置に接続されて該各空気調和装置が送信した運転データを表示する表示部を有する監視装置を備え、上記各空気調和装置の運転状態を監視可能に構成したものが知られている。
【０００３】
【発明が解決しようとする課題】
ところが、上記従来の空気調和装置の監視システムにおいては、その監視装置の表示部が例えばセグメント型の液晶表示パネルによって構成されている。このため、予め設定された画面の表示形態でしか表示できないようになっている。これは、監視システムの構成に拘わらず、また、該監視システムの構成が変更されても同一の表示プログラムで対応することができるようにするためであって、上記監視システムの構成に応じて監視装置の表示部やプログラム等を変更する方法では、コストが増大してしまうと共に監視システムの構成が変更された場合等には表示部の交換やプログラム等の変更を行わなければならなくなり、コストが大幅に増大してしまうこととなるためである。
【０００４】
このように、従来の空気調和装置の監視システムにおいては、予め設定された画面の表示形態でしか表示することができないため、空気調和装置の監視画面として常に最適な画面の表示形態とすることができないという不都合がある。
【０００５】
本発明は、このような事情に鑑みてなされたものであり、その目的とするところは、空気調和装置の監視システムにおいて、その監視装置の画面の表示形態を該システムの構成に応じて容易かつ安価に変更可能にすると共に、上記空気調和装置の監視システムに特に好適に用いられる空気調和装置の監視装置を提供することにある。
【０００６】
【課題を解決するための手段】
上記目的を達成するために、本発明は、監視装置（１１）が表示する表示形態を設定する表示形態設定データを上記監視装置（１１）に提供する表示形態設定データ提供手段（２１，４１）を備えることとした。
【０００７】
具体的に、請求項１記載の発明は、図１に示すように、空気調和装置（１２）に接続され、該空気調和装置（１２）から送信された情報を表示部（１１ａ）に表示する監視装置（１１）を備えた空気調和装置の監視システムを対象とする。
【０００８】
そして、上記空気調和装置（１２）は複数台設けられ、上記監視装置（１１）は上記各空気調和装置（１２）に対しデータ伝送可能な伝送手段（１４）を介して接続されていて、上記各空気調和装置（１２）から送信された情報を表示部（１１ａ）に表示するように構成される。
【０００９】
また、上記システムは、上記監視装置（１１）に接続され、該監視装置（１１）の表示部（１１ａ）の表示形態を設定する表示形態設定データを上記監視装置（１１）に提供する表示形態設定データ提供手段（２１，４１）を備えたものとし、上記表示形態設定データ提供手段（２１，４１）は、監視装置（１１）に提供する表示形態設定データを、上記システム構成の変更に対応したデータに変更するデータ変更手段を備えるとする。
【００１０】
そして、上記監視装置（１１）を、上記表示形態設定データ提供手段（２１，４１）から提供された表示形態設定データに応じて上記表示部（１１ａ）の表示形態を変更すると共に、その変更した表示形態で上記空気調和装置（１２）から送信された情報を上記表示部（１１ａ）に表示するように構成することを特定事項とするものである。
【００１１】
上記請求項１記載の発明によると、表示形態設定データ提供手段（２１，４１）から監視装置（１１）に表示形態設定データが提供され、該監視装置（１１）は、該表示形態設定データに応じて表示する表示形態を設定する。このため、空気調和装置の監視システムの構成に対応した表示形態で空気調和装置（１２）に関する情報が表示される。
【００１２】
つまり、データ変更手段が、システム構成（空気調和装置自体の形態又はその監視システムの構成等）の変更に対応した表示形態設定データに変更するため、監視装置（１１）は上記新たな表示形態設定データに応じて画面の表示形態を変更する。このように、表示形態設定データ提供手段（２１，４１）が表示形態設定データを提供することだけで、監視装置（１１）の画面の表示形態をシステム変更に応じた最適なものにすることが可能になる。
【００１３】
ここで、上記データ変更手段としては、例えば請求項２記載の如く、監視装置（１１）に提供する表示形態設定データを、上記監視装置（１１）に接続された空気調和装置（１２）の台数の変更に対応したデータに変更するとしてもよい。また、例えば請求項３記載の如く、監視装置（１１）に提供する表示形態設定データを、上記監視装置（１１）に接続された空気調和装置（１２）の設置レイアウトの変更に対応したデータに変更するとしてもよい。
【００１４】
尚、上記空気調和装置の監視システムの構成等が変更されて表示形態設定データを変更すべき場合に、上記空気調和装置の監視システムの監視者が操作することによって、表示形態設定データ提供手段（２１，４１）から新たな表示形態設定データを監視装置（１１）に提供するように構成してもよい。
【００１５】
そして、請求項４記載の如く、監視装置（１１）をＬＡＮ（Local Area Network）（２）に接続し、表示形態設定データ提供手段（２１）を上記ＬＡＮ（２）上に設けるようにしてもよく、例えば空気調和装置（１２）が設置された建物等に既に構築されたＬＡＮ（２）を利用するようにしてもよい。このようにＬＡＮ（２）を利用すれば、該ＬＡＮ（２）上に備えられたハードウェアを利用することが可能となり、常に最適な表示形態で空気調和装置（１２）の監視を行い得る監視システムが低コストで構築される。
【００１６】
また、請求項５記載の如く、監視装置（１１）と表示形態設定データ送信手段（４１）とをＷＡＮ（Wide Area Network）（３）を介して互いに接続するようにしてもよい。ここで、ＷＡＮ（３）としては、例えばインターネットとしてもよい
このように、ＷＡＮ（３）を介して監視装置（１１）と表示形態設定データ送信手段（４１）とを互いに接続する場合には、例えば上記表示形態設定データ提供手段（４１）を空気調和装置（１２）の管理を行うサービスセンタ（４）に設置してもよく、これにより、空気調和装置（１２）とは離れた位置で表示形態設定データ提供手段（４１）の保守・管理を行うことが可能になる。
【００１７】
また、上記サービスセンタ（４）が管理をする複数箇所の施設や建物に設置された空気調和装置の監視システムをＷＡＮ（３）に接続すれば、上記複数箇所の施設や建物に設置された空気調和装置の監視システムの全てに対して表示形態設定データを提供することが可能となり、表示形態設定データの共用化が図られる。
【００１８】
さらに、上記監視装置（１１）の表示部（１１ａ）は、マトリックス型の液晶表示ディスプレイによって構成してもよい。これにより、様々な表示形態での表示を行うことが可能になる。
【００１９】
【発明の実施の形態】
以下、本発明の実施形態を図面に基いて説明する。
【００２０】
図１は、本発明の実施形態に係る空気調和装置（以下、空調機と略称する）の監視システムを示し、１は複数台の空調機（１２，１２，…）を有する空調機の伝送制御システム、２は上記空調機の伝送制御システム（１）が配設された建物６内に構築されたＬＡＮ、３はＷＡＮとしてのインターネットである。
【００２１】
上記空調機の伝送制御システム（１）は、複数台の空調機（１２，１２，…）が信号伝送可能な伝送手段としての伝送ライン（１４）にそれぞれ接続されることによって構成されている。また、上記伝送ライン（１４）には、監視装置（１１）が接続されていて、該監視装置（１１）と上記各空調機（１２）との間には信号伝送の制御を行うアダプタ（１５）が設けられている。
【００２２】
上記監視装置（１１）は、上記各空調機（１２）に関する情報としての運転データが入力される一方、各空調機（１２）に対する運転に関する命令信号が出力されるようになっていて、各空調機（１２）の運転の設定、変更、及び運転データの表示を行うヒューマンインターフェースとなっている。
【００２３】
すなわち、上記監視装置（１１）には、図２に示すように、その上部位置に各空調機（１２）が運転中に点灯されるランプ（１１ｂ）並びに全ての空調機（１２，１２，…）を始動させる一括運転ボタン（１１ｃ）及び全ての空調機（１２，１２，…）を停止させる一括停止ボタン（１１ｄ）を備えられている。また、上記監視装置（１１）の下部位置には、表示画面においてカーソルを上下左右に移動させるカーソル移動キー（１１ｅ）と、例えば画面に表示されたメニューの実行を支持するエンターキー（１１ｆ）とが設けられている。
【００２４】
そして、上記管理装置（１１）は、マトリックス型の液晶表示ディスプレイからなる表示部（１１ａ）を有しており、該表示部（１１ａ）には各空調機（１２）の運転データ等が表示されるようになっている。
【００２５】
ここで、上記表示部（１１ａ）における画面の表示形態について説明すると、上記空調機の情報表示システムに備えられた空調機（１２，１２，…）にそれぞれ番号が付され、各空調機（１２）毎にそのイメージ図（５１）と、例えば空調機の番号、機種名、現在の運転モード、温調及び設定温度といった空調機（１２）に関する情報（５３）とが表示されるようになっている。また、上記各空調機（１２）のイメージ図（５１）及び該空調機（１２）に関する情報（５３）は、当該空調機（１２）が設置されているフロアのブロック毎に、例えば「３Ｆ西」や「３Ｆ中央」といったようにグループ（５２，５２，…）化されて表示されている。尚、上記表示画面には、その画面の表示形態によってはスクロール機能が付加されるようになっていて、表示画面を上下左右に移動させることができるようになっている。
【００２６】
このように、上記表示部（１１ａ）はマトリックス型の液晶表示ディスプレイであるため、様々な表示形態で表示を行うことができる。
【００２７】
そして、上記監視装置（１１）は、その表示部（１１ａ）で表示する画面の表示形態を、後述する表示形態設定データサーバ（４１）から提供された表示形態設定データに基づいて設定するようになっていて、一旦設定した表示形態設定データは新たな表示形態設定データが提供されるまで保存されて同一の表示形態で表示が行われるように構成されている。
【００２８】
上記ＬＡＮ（２）には、クライアントであるパーソナルコンピュータ（ＰＣ）（２４）、該ＰＣ（２４）にデータを提供するデータベースサーバ（２１）、ＨＴＭＬ（Hyper Text Markup Language）文書を供給するＷＷＷ（World Wide Web）サーバ（２２）、及びＬＡＮ（２）及び上記ＰＣ（２４）等の間でやり取りされる電子メールの中継を行うメールサーバ（２３）がそれぞれ接続されていて、上記ＬＡＮ（２）はインターネット技術を利用したイントラネットとして構築されている。
【００２９】
上記ＬＡＮ（２）と空調機の伝送制御システム（１）との伝送形式は互いに異なっており、該ＬＡＮ（２）と空調機の伝送制御システム（１）との間で信号の伝送形式を変換させるゲートウェイ（１３）を介して上記ＬＡＮ（２）と空調機の伝送制御システム（１）とは互いに接続されるようになっている。
【００３０】
また、上記ＬＡＮ（２）は、ファイアウォール（２５）を介してインターネット（３）に接続されるようになっており、上記ファイアウォール（２５）は、インターネット（３）から該ＬＡＮ（２）への不正な侵入を防止するようになっている。
【００３１】
上記インターネット（３）にはサービスセンタ（４）に設置された表示形態設定データ提供手段としての画面データサーバ（４１）が接続されるようになっていて、上記画面データサーバ（４１）には、監視装置（１１）が表示する画面の表示形態を設定するデータである表示形態設定データが記憶されている。そして、上記画面データサーバ（４１）は、表示形態設定データをインターネット（３）及びＬＡＮ（２）を介して送信することによって、上記監視装置（１１）に表示形態設定データを提供するようになっている。
【００３２】
上記画面データサーバ（４１）は、空調機の監視システムが変更された場合等には、提供する表示形態設定データを変更後のシステムに対応した表示形態設定データに自動的に変更して、監視装置（１１）に提供するようになっており、上記画面データサーバ（４１）は、データ変更手段（図示省略）を含むようになっている。
【００３３】
尚、画面データサーバ（４１）は、上記監視システムの管理者の操作に基づき監視装置（１１）に提供する表示形態設定データを変更して、上記監視装置（１１）に提供することができるようにも構成されている。
【００３４】
次に、上記空調機の監視システムによる空調機の監視動作について説明する。
【００３５】
先ず、サービスセンタ（４）の画面データサーバ（４１）から監視装置（１１）に対して、空調機の監視システム（１）に適応した表示形態設定データが提供される。そして、上記監視装置（１１）は上記提供された表示形態設定データに基づいて表示部（１１ａ）で表示する画面の表示形態を設定する。
【００３６】
そして、空調機（１２，１２，…）が送信した運転データ等が、伝送ライン（１４）を介して監視装置（１１）まで伝送され、図２に示すように、この監視装置（１１）の表示部（１１ａ）に各空調機（１２）の運転データが表示されて、上記空調機（１２，１２，…）の監視が行われる。
【００３７】
上記空調機（１２）の設置台数や空調機の設置レイアウトが変更された場合等には、上記新たな設置台数や空調機の設置レイアウトに対応する表示形態設定データが、画面データサーバ（４１）から自動的に監視装置（１１）に提供される。または、上記空調機の伝送制御システム（１）の管理者が上記画面データサーバ（４１）を操作して、新たな表示形態設定データを監視装置（１１）に提供させる。上記監視装置（１１）は、提供された新たな表示形態設定データに基づいて表示部（１１ａ）の表示形態を新たなものに設定し直す。例えば図３は、建物の他のブロックの空調機（１２，１２）が追加設置されて設置台数及び設置レイアウトが変更された場合を示していて、上記追加設置された空調機（１２，１２）を新しいグループ（５２′）でグループ化して表示するように表示形態を変更している。
【００３８】
このように、画面データサーバ（４１）から表示形態設定データが提供され、監視装置（１１）が該提供された表示形態設定データに基づいて表示部（１１ａ）における表示形態を変更することによって、上記監視装置（１１）は、空調機の監視システムの構成に適応した画面の表示形態で各空調機（１２）の運転データを表示することができる。また、空調機の監視システムの構成が変更された場合でも、新たな表示形態設定データを提供するのみであるため、その変更に容易にかつ安価に対応することができる。
【００３９】
また、上記画面データサーバ（４１）は、サービスセンタ（４）に設置され、ＬＡＮ（２）及びインターネット（３）を利用して監視装置（１１）に接続されているため、常に最適な表示を行い得る監視システムを低コストで構築することができる。さらに、上記サービスセンタ（４）が管理する他の施設や建物に設置された空調機の監視システムをインターネット（３）に接続すれば、上記他の施設や建物に設置された空調機の監視システムに対してもインターネット（３）を介して表示形態設定データを提供することができ、表示形態設定データの共用化を図ることができる。
【００４０】
＜他の実施形態＞
なお、本発明は上記実施形態に限定されるものではなく、その他種々の実施形態を包含するものである。すなわち、上記実施形態では、画面データサーバ（４１）をインターネット（３）で接続されたサービスセンタ（４）に備えるようにしているが、これに限らず、例えばＬＡＮ（２）に設けられたデータベースサーバ（２１）を利用して表示形態設定データを監視装置（１１）に提供するように構成してもよい。この場合も、ＬＡＮ（２）を利用することによって安価に空調機の監視システムを構築することができる。
【００４１】
【発明の効果】
以上説明したように、請求項１〜請求項３記載の発明における空気調和装置の監視システムによれば、表示形態設定データ提供手段によって監視装置に表示形態設定データが提供されるため、空気調和装置の監視システムの構成に対応した最適な表示形態で空気調和装置に関する情報の表示を行うことができる。
【００４２】
請求項４又は請求項５記載の発明によると、ＬＡＮ又はインターネットを利用することによって、常に最適な表示形態で空気調和装置の監視を行い得る空気調和装置の監視システムを低コストで構築することができる。
【図面の簡単な説明】
【図１】  本発明の実施形態に係る空気調和装置の監視システムを示す概略図である。
【図２】  監視装置の画面の表示形態の一例を示す説明図である。
【図３】  空気調和装置の監視システムの構成が変更された後の監視装置の画面の表示形態の一例を示す図２対応図である。
【符号の説明】
１              伝送制御システム
２              ＬＡＮ
３              インターネット（ＷＡＮ）
１１            監視装置
１２            空気調和装置
１４            伝送ライン（伝送手段）
２１            データベースサーバ（表示形態設定データ提供手段）
４１            画面データサーバ（表示形態設定データ提供手段）
１１ａ          表示部
【図１】
0003818017.tif 000002
【図２】
0003818017.tif 000003
【図３】
0003818017.tif 000004